(57)【要約】  【課題】家庭のシャワーでも、ゲルマニウム温泉による効果を得ること。  【解決手段】本考案のシャワー装置では、ホースからシャワーノズルまでの温水流路の途中にゲルマニウム含有粒が温水と接触可能な状態で保持され、ゲルマニウム含有粒を保持する保持部は、当該シャワーヘッドおよびホースに対して着脱可能に設けられており、半径２〜６cm，長さ２〜２０cmの透明な部材で筒状に形成され、表面には滑り止めの凹凸構造が形成されている。【選択図】      図１
0003121659.tif 000002
【実用新案登録請求の範囲】
【請求項１】
ホースからシャワーノズルまでの温水流路の途中にゲルマニウム含有粒が温水と接触可能な状態で保持されていることを特徴とするシャワー装置。
【請求項２】
温水流路の途中に、上流側多孔板と下流側多孔板とで区切った保持部を形成し、
前記保持部にゲルマニウム含有粒が保持されていることを特徴とする請求項１に記載のシャワー装置。
【請求項３】
ホースの先に取り付けるシャワーヘッドにおいて、
当該シャワーヘッドの温水流路の途中に、上流側多孔板と下流側多孔板とで区切った保持部を形成し、
前記保持部にゲルマニウム含有粒が保持されていることを特徴とするシャワーヘッド。
【請求項４】
前記保持部は、当該シャワーヘッドおよびホースに対して着脱可能に設けられ、
下流側多孔板は、前記保持部とシャワーヘッドとの間に挟持されていることを特徴とする請求項３に記載のシャワーヘッド。
【請求項５】
前記保持部は、透明な部材で筒状に形成されていることを特徴とする請求項１、２、３、４の何れか１項に記載のシャワーヘッド。
【請求項６】
前記保持部は、半径２〜６cm，長さ２〜２０cmの円筒状とし、
表面には滑り止めの凹凸構造が形成されている
ことを特徴とする請求項５に記載のシャワーヘッド。
【考案の詳細な説明】
【技術分野】
【０００１】
本考案は、水や温水のシャワーを噴き出すように構成されたシャワー装置および、シャワー装置に用いるシャワーヘッドに関するものである。
【背景技術】
【０００２】
従来より、浴室などには水や温水のシャワー装置が備えられており、このシャワー装置は、水や温水を取り出す給水栓と、この給水栓に取り付けられたホースと、このホースの先に取り付けられたシャワーヘッドとを備えている。
また、特開平１１−２９０２３２（特許文献１）には、脱塩素剤などの浄化剤を収容したシャワー ヘッドにおいて、握り部を透明にし、この内部に脱塩素剤や活性炭セラミック などの浄化剤を収容するとともに、脱塩素剤の性能が低下すると色が変わるインジケータを設け、このインジケータの色変化を外部から見ることができるから、握り部の交換時期を知ることができるものが開示されている。
【０００３】
【特許文献１】特開平１１−２９０２３２号公報
【考案の開示】
【考案が解決しようとする課題】
【０００４】
ところが、上述したような従来のシャワー装置は、単に温水シャワーによる温浴効果や洗浄効果を得るだけであって、皮膚（肌）に対する格別の健康的な効果は得られなかった。また、特許文献１に記載のものも、浄化剤を収納して交換時期を知るようにしたものではあるが、皮膚（肌）に対する格別の健康的な効果は得られなかった。
一方、ゲルマニウム温泉などでは、ゲルマニウムによる皮膚（肌）に対する格別の健康的な効果が期待されているが、家庭で気軽にゲルマニウム温泉を利用することは困難であった。
そこで、本考案は、家庭のシャワーでも、ゲルマニウム温泉による効果を得ることを目的としてなされたものである。
【課題を解決するための手段】
【０００５】
本考案にかかる請求項１のシャワー装置では、
ホースからシャワーノズルまでの温水流路の途中にゲルマニウム含有粒が温水と接触可能な状態で保持されている。
請求項２では、
温水流路の途中に、上流側多孔板と下流側多孔板とで区切った保持部を形成し、
前記保持部にゲルマニウム含有粒が保持されている。
請求項３では、
ホースの先に取り付けるシャワーヘッドにおいて、
当該シャワーヘッドの温水流路の途中に、上流側多孔板と下流側多孔板とで区切った保持部を形成し、
前記保持部にゲルマニウム含有粒が保持されている。
請求項４では、
前記保持部は、当該シャワーヘッドおよびホースに対して着脱可能に設けられ、
下流側多孔板は、前記保持部とシャワーヘッドとの間に挟持されている。
請求項５では、
前記保持部は、透明な部材で筒状に形成されている。
請求項６では、
前記保持部は、半径２〜６cm，長さ２〜２０cmの円筒状とし、
表面には滑り止めの凹凸構造が形成されている。
【考案の効果】
【０００６】
本考案の請求項１のシャワー装置では、
ホースからシャワーノズルまでの温水流路の途中にゲルマニウム含有粒が温水と接触可能な状態で保持されているので、温水シャワーとして使用するときに、温水がゲルマニウム含有粒と接触することにより、ゲルマニウム温泉による効果が得られる。
そして、請求項２では、
温水流路の途中に、上流側多孔板と下流側多孔板とで区切った保持部を形成しているので、ゲルマニウム含有粒が温水とともに流出することは防止できる。
そして、請求項３のシャワーヘッドでは、
シャワーヘッドの温水流路の途中に、上流側多孔板と下流側多孔板とで区切った保持部を形成し、前記保持部にゲルマニウム含有粒が保持されているので、このシャワーヘッドをシャワー装置に用いることにより、上述したようなゲルマニウム温泉による効果が得られる。
そして、請求項４では、
前記保持部は、当該シャワーヘッドおよびホースに対して着脱可能に設けられ、
下流側多孔板は、前記保持部とシャワーヘッドとの間に挟持されているので、既存のホースにも取付可能であるとともに、保持部に保持されたゲルマニウム含有粒は下流側多孔板に保持されて流出しない。
そして、請求項５では、
前記保持部は、透明な部材で筒状に形成されているので、内部のゲルマニウム含有粒の状態を容易に目視可能である。
そして、請求項６では、
前記保持部は、半径２〜６cm，長さ２〜２０cmの円筒状としたので、持ちやすく、且つ、十分な量のゲルマニウム含有粒を保持できる。そして、表面には滑り止めの凹凸構造が形成されているので、滑りにくいという効果が得られる。
【考案を実施するための最良の形態】
【０００７】
以下に、本考案にかかるシャワー装置およびシャワーヘッドを、その実施の形態を示した図面に基づいて詳細に説明する。
１はシャワー装置であり、ホース２の終端に、握り部４を介してシャワーヘッド３が連結されている。このシャワーヘッド３には多数のシャワーノズル３１が形成され、切替レバー３２を回転操作することによって、直噴水流や、シャワー水流などの種々の形態の水流に切り替えて噴出可能に形成されている。
前記握り部４の両側には接続用のねじ部４１、４２が形成されている。一方のねじ部４１はホース２の終端と接続するためにねじが形成されており、他方のねじ部４２にはシャワーノズル側と接続するための雌ねじが形成されている。
【０００８】
前記握り部４は基本形状が円筒形であって、内部にシャワー用の温水流路が形成されている。前記握り部４の内部には、ゲルマニウム含有粒Ｇを保持する保持空間Ｓ１が形成されている。
この保持空間Ｓ１は、前記温水流路の一部を形成しており、上流側多孔板Ｓ２と下流側多孔板Ｓ３とで区切られて、保持部Ｓを構成している。これらの多孔板の孔の内径は、ゲルマニウム含有粒Ｇの外形より小さくして、ゲルマニウム含有粒Ｇが流出しないように
前記保持部Ｓは、当該シャワーヘッド３およびホース２に対して、前記接続用のねじ部４１、４２によって着脱可能に設けられている。
そして、下流側多孔板Ｓ３は、前記保持部Ｓとシャワーヘッド３との間に挟持されている。
また、前記保持部Ｓの外筒、すなわち、握り部４は透明樹脂部材で筒状に形成されており、内部に保持されたゲルマニウム含有粒Ｇを視覚的に確認することができる。
【０００９】
以上の構成のシャワー装置を温水シャワーとして使用すると、温水が温水流路を通過するときに、温水はゲルマニウム含有粒Ｇと接触してからシャワーヘッド３のノズルから噴き出すので、身体にかかる温水シャワーを浴びると、皮膚組織および皮下組織に対して健康的な効果を及ぼすことができる。
しかも、ゲルマニウム含有粒Ｇは、上流側多孔板Ｓ２と下流側多孔板Ｓ３とで区切られた保持空間Ｓ１に保持されているので、温水とともに流出することはない。
また、握り部４は着脱可能に取り付けられているので、前記保持部Ｓに保持されたゲルマニウム含有粒Ｇの交換や洗浄などのメンテナンスが容易にできる。
前記保持部Ｓは透明樹脂部材で形成されているので、内部のゲルマニウム含有粒Ｇの汚れ状態などを随時視認することができ、適切なタイミングでメンテナンスが可能となる。
【実施例１】
【００１０】
実施例１のシャワーヘッドは、前記保持部Ｓに形成された保持空間Ｓ１は、半径２〜６cm，長さ２〜２０cmのほぼ円筒状の空間とした。半径が２cmより小さい場合や６cmより大きい場合には握りにくくなり、長さが２cmより短い場合には容積が少なくなって十分な量のゲルマニウム含有粒Ｇを保持することができなくなり、２０cmより長い場合には取り扱いがしにくくなる。
また、前記握り部４の外面の表面の複数箇所には、滑り止めの凹凸構造Ｄが形成されているので、シャワーとして使用中に濡れていても滑りにくい。
【図面の簡単な説明】
【００１１】
【図１】本考案にかかるシャワー装置の実施の形態の構成を示した構成図である。
【図２】前記シャワー装置の要部の分解斜視図である。
【符号の説明】
【００１２】
１  シャワー装置
２  ホース
３  シャワーヘッド
３１  シャワーノズル
４  握り部
４１、４２  接続用のねじ部
Ｇ    ゲルマニウム含有粒
Ｓ    保持部
Ｓ１  保持空間
Ｓ２  上流側多孔板
Ｓ３  下流側多孔板
【図１】
0003121659.tif 000003
【図２】
0003121659.tif 000004
【手続補正書】
【提出日】平成18年3月9日(2006.3.9)
【手続補正１】
【補正対象書類名】実用新案登録請求の範囲
【補正対象項目名】請求項５
【補正方法】変更
【補正の内容】
【請求項５】
前記保持部は、透明な部材で筒状に形成されていることを特徴とする請求項３、４の何れか１項に記載のシャワーヘッド。